【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1のキャリアのリソース上でワイヤレスデバイスの能力の指示を送信するステップと、
無認可無線周波数スペクトル帯域の第1の狭帯域領域中の前記第1のキャリアのリソース上で構成メッセージを受信するステップと、
前記構成メッセージに少なくとも部分的に基づいて、前記無認可無線周波数スペクトル帯域の異なる狭帯域領域中に各々がある1つまたは複数の追加キャリアの構成を識別するステップであって、前記1つまたは複数の追加キャリアの構成が前記ワイヤレスデバイスの前記能力に少なくとも部分的に基づく、ステップと、
前記第1のキャリアのリソース上で、前記無認可無線周波数スペクトル帯域の前記異なる狭帯域領域中の前記1つまたは複数の追加キャリア上でのリソースの割当てを受信するステップと、
前記割当てに従って、前記無認可無線周波数スペクトル帯域の前記異なる狭帯域領域中の前記1つまたは複数の追加キャリア上で通信するステップとを含む方法。
【請求項２】
前記1つまたは複数の追加キャリアが互いに隣接するか、または、
前記構成における前記1つまたは複数の追加キャリアの数が、前記ワイヤレスデバイスの前記能力に少なくとも部分的に基づくか、または、
前記リソースの割当てを受信するステップが、前記ワイヤレスデバイスの前記能力またはカテゴリに少なくとも部分的に基づくフォーマットを有するダウンリンク制御メッセージを受信するステップを含むか、または、
前記1つまたは複数の追加キャリア上で通信するステップが、前記1つまたは複数の追加キャリアの前記リソース上でダウンリンクデータメッセージを受信するステップであって、前記ダウンリンクデータメッセージのフォーマットが、前記ワイヤレスデバイスの前記能力に少なくとも部分的に基づく、ステップを含むか、または、
前記1つまたは複数の追加キャリア上で通信するステップが、前記1つまたは複数の追加キャリアの前記リソース上でアップリンク制御メッセージまたはアップリンクデータメッセージを送信するステップであって、前記アップリンク制御メッセージまたは前記アップリンクデータメッセージのフォーマットが前記ワイヤレスデバイスの前記能力に少なくとも部分的に基づく、ステップを含むか、または、
各狭帯域領域の帯域幅が、12個のロングタームエボリューション(LTE)サブキャリア(1RB)の帯域幅を含む、請求項1に記載の方法。
【請求項３】
前記方法が、前記第1の狭帯域領域中の前記第1のキャリアのリソース上でアップリンクメッセージを送信するステップをさらに含むか、または、
前記方法が、前記第1のキャリアのリソース上でアップリンク制御メッセージを送信するステップであって、前記アップリンク制御メッセージのフォーマットが前記ワイヤレスデバイスの前記能力に少なくとも部分的に基づく、ステップをさらに含むか、または、
前記方法が、
前記第1のキャリアのリソース上でシステム情報ブロードキャストメッセージを受信するステップと、
前記システム情報ブロードキャストメッセージに少なくとも部分的に基づき、前記無認可無線周波数スペクトル帯域の前記異なる狭帯域領域を識別するステップとをさらに含むか、または、
前記方法が、前記第1のキャリアのリソースを使用して、ランダムアクセス手順を実行するステップであって、前記構成メッセージが前記ランダムアクセス手順の間に受信される、ステップをさらに含む、請求項1に記載の方法。
【請求項４】
前記第1のキャリアのリソース上で1つまたは複数の同期信号を受信するステップをさらに含む、請求項1に記載の方法。
【請求項５】
前記1つまたは複数の同期信号に少なくとも部分的に基づいて、前記無認可無線周波数スペクトル帯域の前記第1の狭帯域領域のロケーションを識別するステップをさらに含む、請求項4に記載の方法。
【請求項６】
前記1つまたは複数の同期信号を受信したことに少なくとも部分的に基づいて、基地局が、前記無認可無線周波数スペクトル帯域の前記第1の狭帯域領域および前記異なる狭帯域領域へのアクセスを得たと判断するステップと、
前記基地局が前記第1の狭帯域領域および前記異なる狭帯域領域へのアクセスを得たと判断したことに少なくとも部分的に基づいて、1つまたは複数の無線周波数(RF)チェーンを、前記異なる狭帯域領域の周波数に同調させるステップとをさらに含む、請求項4に記載の方法。
【請求項７】
無線リソース制御(RRC)アイドルモードで動作する間、前記1つまたは複数の同期信号を監視するステップをさらに含む、請求項6に記載の方法。
【請求項８】
前記1つまたは複数の同期信号は、1次同期信号(PSS)および2次同期信号(SSS)を含む、請求項4に記載の方法。
【請求項９】
ワイヤレス通信のための方法であって、
第1のキャリアのリソース上で第1のワイヤレスデバイスの能力の指示を受信するステップと、
無認可無線周波数スペクトル帯域の第1の狭帯域領域中の前記第1のキャリアのリソース上で、構成メッセージを第1のワイヤレスデバイスに送信するステップであって、前記構成メッセージは、前記無認可無線周波数スペクトル帯域の異なる狭帯域領域中に各々がある追加キャリアの第1のセットの構成を識別し、追加のキャリアの前記第1のセットの前記構成が、前記第1のワイヤレスデバイスの能力に少なくとも部分的に基づく、ステップと、
前記第1のキャリアのリソース上で前記第1のワイヤレスデバイスに、前記無認可無線周波数スペクトル帯域の前記異なる狭帯域領域中の追加キャリアの前記第1のセット上でのリソースの割当てを送信するステップと、
前記割当てに従って、前記無認可無線周波数スペクトル帯域の前記異なる狭帯域領域中の追加キャリアの前記第1のセット上で前記第1のワイヤレスデバイスと通信するステップとを含む方法。
【請求項１０】
前記無認可無線周波数スペクトル帯域の前記第1の狭帯域領域中の前記第1のキャリア上で、第2のワイヤレスデバイスに追加構成メッセージを送信するステップをさらに含み、前記追加構成メッセージは、各々が異なる狭帯域領域である追加キャリアの第2のセットの構成を識別するか、または、
追加キャリアの前記第1のセットの各キャリアは、追加キャリアの前記第1のセットの別のキャリアに隣接する、請求項9に記載の方法。
【請求項１１】
前記第1の狭帯域領域中の前記第1のキャリアのリソース上で前記第1のワイヤレスデバイスからアップリンクメッセージを受信するステップをさらに含む、請求項9に記載の方法。
【請求項１２】
前記構成の中の追加キャリアの前記第1のセット中のキャリアの数が、前記第1のワイヤレスデバイスの前記能力に少なくとも部分的に基づくか、または、
前記リソースの割当てを送信するステップが、前記第1のワイヤレスデバイスのカテゴリを送信するステップを含むか、または、
追加キャリアの前記第1のセット上で通信するステップが、追加キャリアの前記第1のセットの前記リソース上でダウンリンクデータメッセージを送信するステップであって、前記ダウンリンクデータメッセージのフォーマットは、前記第1のワイヤレスデバイスの前記能力に少なくとも部分的に基づく、ステップを含むか、または、
追加のキャリアの前記第1のセット上で通信するステップが、追加キャリアの前記第1のセットのリソース上でアップリンク制御メッセージまたはアップリンクデータメッセージを受信するステップであって、前記アップリンク制御メッセージまたはアップリンクデータメッセージのフォーマットは、前記第1のワイヤレスデバイスの前記能力またはカテゴリに少なくとも部分的に基づく、ステップを含む、請求項9に記載の方法。
【請求項１３】
前記方法が、前記第1のキャリアのリソース上でアップリンク制御メッセージを受信するステップであって、前記アップリンク制御メッセージのフォーマットは、前記第1のワイヤレスデバイスの前記能力に少なくとも部分的に基づく、ステップをさらに含むか、または、
前記方法が、前記第1のキャリアのリソース上でシステム情報ブロードキャストメッセージを送信するステップであって、前記システム情報ブロードキャストメッセージが、前記無認可無線周波数スペクトル帯域の前記異なる狭帯域領域を識別する、ステップをさらに含むか、または、
前記方法が、前記第1のキャリアのリソースを使用して前記第1のワイヤレスデバイスとのランダムアクセス手順を実行するステップであって、前記構成メッセージが、前記ランダムアクセス手順の間に送信される、ステップをさらに含むか、または、
前記方法が、前記第1のキャリアのリソース上で1つまたは複数の同期信号を送信するステップをさらに含む、請求項9に記載の方法。
【請求項１４】
請求項1から8および請求項9から13のうちのいずれか一項に記載の方法を実行するように構成された手段をシステム内に備える、ワイヤレス通信のための装置。
【請求項１５】
ワイヤレス通信のためのコードを記憶する非一時的コンピュータ可読記録媒体であって、前記コードが、請求項1から8および請求項9から13のうちのいずれか一項に記載の方法を実行するように構成された命令を含む、非一時的コンピュータ可読記録媒体。